(57)【要約】      （修正有）【課題】使用済みボードの処理が容易となる展示用紙製ボードのエッジカバー材および展示用紙製ボードを提供する。【解決手段】展示用紙製ボードは、波状に形成された芯材に平板状の面材が積層され、その端面を、少なくとも長手方向に可撓性のあるテープ状の紙製基材１１の一方側の面に粘着層１２が形成されているエッジカバー材１によって覆われている。エッジカバー材１の紙製基材１１の厚みは０．５ｍｍ以上に設定されていることが好ましい。【選択図】図１
0003174894.tif 000002
【実用新案登録請求の範囲】
【請求項１】
波状に形成された紙製の芯材に平板状の紙製の面材が積層されてなる展示用紙製ボードの端面を覆う部材であって、
少なくとも長手方向に可撓性のあるテープ状の紙製基材の一方側の面に粘着層が形成されていることを特徴とする展示用紙製ボードのエッジカバー材。
【請求項２】
前記紙製基材の厚みが０．５ｍｍ以上であることを特徴とする請求項１に記載の展示用紙製ボードのエッジカバー材。
【請求項３】
波状に形成された紙製の芯材に平板状の紙製の面材が積層されてなる展示用紙製ボードであって、その端面がテープ状の紙製基材を有するエッジカバー材によって覆われていることを特徴とする展示用紙製ボード。
【請求項４】
前記紙製基材の厚みが０．５ｍｍ以上であることを特徴とする請求項３に記載の展示用紙製ボード。
【請求項５】
前記芯材は、波の山に沿う方向がボードの平面方向に直交するように、複数の波状の材料が平面方向に並べられて構成されていることを特徴とする請求項４に記載の展示用紙製ボード。
【考案の詳細な説明】
【技術分野】
【０００１】
本考案は、展示用紙製ボードのエッジカバー材および展示用紙製ボードに関する。
【背景技術】
【０００２】
下記特許文献１に記載されるように、写真や絵などの展示物を支持するボード（パネル）として、軽量かつ丈夫である紙製の段ボールを用いることがある。このような紙製の段ボールを展示用のボードとして用いる場合、段ボールの端面（切断面）から芯材が露出していると美感を損ねることから当該端面が被覆されることがある。
【先行技術文献】
【特許文献】
【０００３】
【特許文献１】特開２００１−２５３０００号公報
【考案の概要】
【考案が解決しようとする課題】
【０００４】
これまでボード端面を覆うカバー材としては合成樹脂材料が用いられることが一般的であった。しかし、このようなカバー材では、展示が終了し、ボードが不要となった後、紙製の段ボールとカバー材とを分離した上で廃棄（リサイクル）しなければならず、手間がかかるという問題があった。
【０００５】
そこで、本考案が解決しようとする課題は、使用済みボードの処理が容易となる展示用紙製ボードのエッジカバー材および展示用紙製ボードを提供することにある。
【課題を解決するための手段】
【０００６】
上記課題を解決するために本考案にかかる展示用紙製ボードのエッジカバー材は、波状に形成された紙製の芯材に平板状の紙製の面材が積層されてなる展示用紙製ボードの端面を覆う部材であって、少なくとも長手方向に可撓性のあるテープ状の紙製基材の一方側の面に粘着層が形成されていることを特徴とする。
【０００７】
この場合、前記紙製基材の厚みが０．５ｍｍ以上であるとよい。
【０００８】
上記課題を解決するために本考案にかかる展示用紙製ボードは、波状に形成された紙製の芯材に平板状の紙製の面材が積層されてなる展示用紙製ボードであって、その端面がテープ状の紙製基材を有するエッジカバー材によって覆われていることを特徴とする。
【０００９】
この場合、前記紙製基材の厚みが０．５ｍｍ以上であるとよい。
【００１０】
またこの場合、前記芯材は、波の山に沿う方向がボードの平面方向に直交するように、複数の波状の材料が平面方向に並べられて構成されているとよい。
【考案の効果】
【００１１】
本考案にかかるエッジカバー材を用いて展示用紙製ボードの端面を覆ったものは、その全部が紙製の構造物であるから、使用済みとなったものをそのまま紙製の廃棄物として廃棄またはリサイクルすることができる。つまり、使用後にボードとエッジカバー材を分離する手間がかからない。
【００１２】
また、展示用紙製ボードの端面には、波状に形成された芯材の切断部分が露出している。つまり、当該端面には、芯材の切断部分と空洞部分が混在しているため、エッジカバー材を貼付したとき芯材の跡（ボード端面に芯材の切断部分と空洞部分とが混在することによる起伏）がエッジカバー材についてしまうおそれがあるが、紙製基材の厚みが０．５ｍｍ以上であればこのような跡が現れてしまうことはなく、美しい仕上がりとなる。
【００１３】
本考案にかかる展示用紙製ボードは、その全部が紙製の構造物であるから、使用済みとなったものをそのまま紙製の廃棄物として廃棄またはリサイクルすることができる。つまり、使用後にボードとエッジカバー材を分離する手間がかからない。
【００１４】
また、紙製基材の厚みが０．５ｍｍ以上であるエッジカバー材が端面に貼付された展示用紙製ボードは、エッジカバー材に芯材の跡（ボード端面に芯材の切断部分と空洞部分とが混在することによる起伏）が現れてしまうことはなく、意匠性に優れる。
【００１５】
また、芯材が、波の山に沿う方向がボードの平面方向に直交するように、複数の波状の材料が平面方向に並べられて構成されるものである場合、波の傾斜によってボード端面に存在する芯材の切断部分が荒れた面となってしまう可能性がある。しかし、このような場合であっても、紙製基材の厚みが０．５ｍｍ以上であれば、エッジカバー材に芯材の跡が現れてしまうことはない。
【図面の簡単な説明】
【００１６】
【図１】展示用紙製ボードのエッジカバー材の断面を模式的に示した図である。
【図２】端面がエッジカバー材で覆われていない状態の展示用紙製ボード（ボード本体部）の外観斜視図である。
【図３】図１に示したエッジカバー材を用いた展示用紙製ボードの使用例である。
【考案を実施するための形態】
【００１７】
本考案を図１〜図３を参照して詳細に説明する。図１（ａ）に断面を模式的に示した本考案の一実施形態にかかる展示用紙製ボードのエッジカバー材（以下単にエッジカバー材１と称する）は、紙で形成されたベースとなる基材（以下紙製基材１１と称する）および粘着層１２を有する。
【００１８】
紙製基材１１は、紙がテープ状に成形されたものであって、その長手方向に可撓性を有する。なお、本考案における「紙」という概念は、ポリビニルアルコール等、紙の特性を向上させるため物質（一般的な製紙用薬品）を含有するものを含む。紙製基材１１の幅は、後述するボード本体部２０の端面の幅と略同一に設定される。また、紙製基材１１の厚みは、０．５ｍｍ以上に設定される（その理由は後述する）。
【００１９】
この紙製基材１１の一方側の面には粘着層１２が形成される。粘着層１２を構成する粘着材は特定のものに限定されない。図示しないが、この粘着層１２を覆うカバー部材が用いられていてもよい。カバー部材は、粘着層１２を保護するものであり、エッジカバー材１の使用時に容易に粘着層１２から引きはがすことのできるものであればよい。
【００２０】
図１（ａ）に示したエッジカバー材１は、紙製基材１１の一方側の面に直接粘着層１２が形成されている例であるが、図１（ｂ）に示すような構成としてもよい。つまり、紙製の第一ベース１１ａの一方側の面に、紙製の第二ベース１１ｂの両面に粘着層１１ｃ，１２ａが形成されたものを貼付することによりエッジカバー材１を得てもよい。この場合、一方の粘着層１１ｃを介して一体となった第一ベース１１ａと第二ベース１１ｂ（第一ベース１１ａ、一方の粘着層１１ｃ、および第二ベース１１ｂから構成される構造物）が本考案における「紙製基材」（１１）となり、他方の粘着層１２ａが本考案における「粘着層」（１２）となる。
【００２１】
このようなエッジカバー材１は、展示用紙製ボード２に適用される（当該エッジカバー材１が適用されたものが本考案にかかる展示用紙製ボード２となる）。図２は、エッジカバー材１が適用されていない状態の展示用紙製ボード２（以下、ボード本体部２０と称することもある）を示したものであり、図３は展示物Ｄを展示するための台として用いられた展示用紙製ボード２を示したものである。展示用紙製ボード２は、上記エッジカバー材１、芯材２１、および面材２２（「ライナ」などとも称される）を有する。
【００２２】
芯材２１は、波状に形成された紙製の部材が複数並べられて構成されるものである。本実施形態では、波の山（谷）に沿う方向がボードの平面方向に直交するように、複数の波状の材料が平面方向に並べられてなる。このように波の山に沿う方向がボードの平面方向に直交するようにすれば、ボードの平面方向に直交する方向からの荷重に対する抗力が大きくなる。つまり、平面方向が水平となるようにボードが設置された場合には、垂直抗力が大きいため、展示物を支持する部材として好ましいものとなる。また、波状の材料同士の間にボードの平面方向に直交する平板状の材料（図２において２１ａで示す）が介在されたものとすればさらに好適である。
【００２３】
面材２２は、平板状の紙製の部材である。上記芯材２１は、二枚の面材２２の間に挟まれている。なお、この面材２２および上記芯材２１を構成する紙の材質は特定のものに限定されない。
【００２４】
このように二枚の面材２２の間に芯材２１が挟まれてなるボード本体部２０は、図２に示すようにその端面（厚み方向に沿う面のこと。ボード本体部２０が任意の形状に切断された場合、切断面が当該端面となる）から芯材２１が露出した構造物である。このように端面から芯材２１が露出した状態であると、例えば図３に示すような展示物Ｄを展示するための台として用いられる場合、支持台としての見栄えがよくないことから、ボード本体部２０の端面が上記エッジカバー材１に覆われる（図３の拡大部分参照）。つまり、ボード本体部２０の端面に対し、粘着層１２を介してエッジカバー材１の紙製基材１１が貼付されたものとなる。これにより、意匠性に優れる展示用紙製ボード２となる。なお、エッジカバー材１の紙製基材１１は、少なくとも面材２２と同じ色彩となるように構成されているとよい。本実施形態にかかるエッジカバー材１が適用された展示用紙製ボード２においては、面材２２およびエッジカバー材１が外観として現れる部分となることから、当該部材の色彩を統一すれば展示用のボードとしての意匠性をさらに向上させることができる。
【００２５】
以上説明した本実施形態にかかるエッジカバー材１によれば次のような作用効果が奏される。
【００２６】
本実施形態にかかるエッジカバー材１を適用した展示用紙製ボード２は、ボード本体部２０だけでなくエッジカバー材１も紙製であることから、展示等が終了した後はそのまま全部を使用済みの紙製部材として処理すること（リサイクルすること）ができる。つまり、使用後にボード本体部２０とエッジカバー材１を分離するなどの手間がかからない点で優れる。また、紙製基材１１は長手方向に可撓性を有するものであるから、ボードのエッジが曲線状であってもボードの端面にエッジカバー材１１を密着させることができる。
【００２７】
また、ボード本体部２０の端面は、露出した芯材２１（本実施形態では平板状の材料（２１ａ）を含む）の端部（図２および図３においてＦで示す）と空洞部分（図２および図３においてＣで示す）とが交互に存在する。エッジカバー材１は、このような端面に貼付されるものであるため、エッジカバー材１が薄すぎると、芯材２１の端部と空洞部分によって貼付されたエッジカバー材１が波打ったような起伏のある状態となったり、芯材２１が透けて見えてしまうことがある。このような問題に対し、エッジカバー材１の紙製基材１１の厚みを種々変化させてボード本体部２０の端面の被覆材として適用してみたところ、エッジカバー材１の紙製基材１１の厚みを０．５ｍｍ以上に設定すれば上記のような問題が発生しないことが分かった。つまり、エッジカバー材１の紙製基材１１の厚みを０．５ｍｍ以上に設定すれば、エッジカバー材１で構成される端面部分が美しい展示用紙製ボード２となる。
【００２８】
また、上記ボード本体部２０における芯材２１は、波の山に沿う方向がボードの平面方向に直交するように複数の波状の材料が平面方向に並べられて構成されるものであるため、波の傾斜によってボード本体部２０の端面に存在する芯材２１の切断部分が荒れた面となってしまう可能性がある（芯材２１を構成する紙材の厚み方向に対して直交する方向に切断されないため、芯材２１の切断面が斜めになって当該面が荒れてしまう可能性がある）。しかし、このような場合であっても、紙製基材１１の厚みが０．５ｍｍ以上であれば、エッジカバー材１に芯材２１の跡が現れてしまうことはないことが確認された。
【００２９】
以上、本考案の実施形態について詳細に説明したが、本考案は上記実施形態に何ら限定されるものではなく、本考案の要旨を逸脱しない範囲で種々の改変が可能である。
【００３０】
例えば、上記展示用紙製ボード２の芯材２１は、波の山（谷）に沿う方向がボードの平面方向に直交するように、複数の波状の材料が平面方向に並べられて構成されるものであることを説明したが、波の山（谷）に沿う方向がボードの平面方向であるもの（一般的な段ボールと同様の構造のもの）にも上記エッジカバー材１は適用可能である。また、上述した平板状の材料（２１ａ）が用いられていない構成としてもよい。
【符号の説明】
【００３１】
１  エッジカバー材
１１  紙製基材
１２  粘着層
２  展示用紙製ボード
２０  ボード本体部
２１  芯材
２２  面材
【図１】
0003174894.tif 000003
【図２】
0003174894.tif 000004
【図３】
0003174894.tif 000005